(57)【要約】【課題】記録媒体に確実にデータを記録させることができると共に、記録媒体を識別でき、効率良く管理することができるデータ記録装置及びデータ記録方法を提供する。【解決手段】録画装置（データ記録装置）１は、光ディスクドライブ１１とは別に、複数の記憶領域を有する記憶部１２を備え、録画／再生制御部２４により特定の記憶領域に対応付けて特定の光ディスクを登録しておき、該記録媒体に関連付けて番組を指定し、番組データの録画を予約する。番組の放送時に前記光ディスクが装着されている場合は光ディスクに番組データを記録し、番組の放送時に前記光ディスクが装着されていない場合は、対応する記憶領域に番組データを記憶させる。そして、録画／再生制御部２４は、記憶部１２に登録した情報に基づいて印刷データ生成部１５に印刷データを生成させ、シール印刷部１６において印刷データをシールに印刷する。【選択図】図２
2010244664.tif 000002
【特許請求の範囲】
【請求項１】
データを着脱可能な記録媒体に記録するデータ記録装置において、
記録媒体毎にデータを記憶する複数の記憶領域、及び各記録媒体を識別可能な情報を各記憶領域に対応して記憶する複数の管理領域を有する記憶部と、
前記管理領域に前記情報を記憶して、記録媒体を登録する登録手段と、
前記情報を印刷するための印刷データを生成する印刷データ生成手段と
を備えることを特徴とするデータ記録装置。
【請求項２】
前記データのタイトルを示すタイトル情報を記憶する手段を備え、
前記印刷データ生成手段は、前記タイトル情報に基づいて印刷データを生成することを特徴とする請求項１に記載のデータ記録装置。
【請求項３】
印刷するようにユーザが指定した情報を受け付ける手段と、
前記印刷データ生成手段は、前記情報に基づいて印刷データを生成することを特徴とする請求項１又は２に記載のデータ記録装置。
【請求項４】
前記印刷データ生成手段により生成した印刷データを印刷シートに印刷する手段を備えることを特徴とする請求項１から３までのいずれか一つに記載のデータ記録装置。
【請求項５】
前記印刷データ生成手段により生成した印刷データを前記記録媒体に印刷する手段を備えることを特徴とする請求項１から３までのいずれか一つに記載のデータ記録装置。
【請求項６】
前記印刷データ生成手段により生成した印刷データを出力する手段を備えることを特徴とする請求項１から３までのいずれか一つに記載のデータ記録装置。
【請求項７】
前記印刷データ生成手段により印刷データを生成したという生成済み情報を前記記憶部に記憶する手段と、
前記印刷データ生成手段により印刷データを生成したという生成済み情報を記録媒体に記録する手段と
を備えることを特徴とする請求項１から６までのいずれか一つに記載のデータ記録装置。
【請求項８】
記録媒体が装着された場合に、該記録媒体に生成済み情報が記録されているか否かを判定する第１判定手段と、
前記記憶部に生成済み情報が記憶されているか否かを判定する第２判定手段と、
前記第１判定手段により記録されていないと判定され、前記第２判定手段により記憶されていないと判定された場合に、前記印刷データ生成手段に印刷データを生成させる手段と、
前記第１判定手段により記録されていないと判定され、前記第２判定手段により記憶されていると判定された場合に、生成済み情報を前記記録媒体に記録する手段と、
前記第１判定手段により記録されていると判定された場合に、再印刷の指示を受け付ける手段と
を備えることを特徴とする請求項７に記載のデータ記録装置。
【請求項９】
前記登録手段に登録されている記録媒体に関連付けて、番組を指定し、番組データの記録を予約する手段と、
前記番組が放送された場合に、前記記録媒体が装着されているときには、該記録媒体に前記番組データを記録する手段と、
前記番組が放送された場合に、前記記録媒体が装着されていないときには、対応する記憶領域に前記番組データを記録する手段と、
前記登録手段に登録されている記録媒体が装着された場合に、対応する記憶領域に記憶されている番組データの内で前記記録媒体に記録されていない番組データがあるときに、該番組データを前記記録媒体に記録する手段と
を備えることを特徴とする請求項１から８までのいずれか一つに記載のデータ記録装置。
【請求項１０】
データが記録されている記録媒体が装着されている状態で、前記データの再生指示を受け付ける手段と、
前記データを前記記憶部で記憶しているか否かを判定する手段と、
前記データを前記記憶部で記憶している場合に、前記記憶部で記憶しているデータを再生する手段と、
前記データを前記記憶部で記憶していない場合に、前記記録媒体が記録しているデータを再生する手段と
を備えることを特徴とする請求項１から９までのいずれか一つに記載のデータ記録装置。
【請求項１１】
データを着脱可能な記録媒体に記録するデータ記録方法において、
記録媒体毎にデータを記憶する複数の記憶領域、及び各記録媒体を識別可能な情報を各記憶領域に対応して記憶する複数の管理領域を有する記憶部を備えるデータ記録装置を用い、前記管理領域に前記情報を記憶して、記録媒体を登録するステップと、
前記情報を印刷するための印刷データを生成するステップと
を有することを特徴とするデータ記録方法。
【発明の詳細な説明】
【技術分野】
【０００１】
本発明は、入力したデータをブルーレイディスク等の記録媒体に記録するデータ記録装置及びデータ記録方法に関する。
【背景技術】
【０００２】
現在、テレビジョン放送により放送された番組データを記録する録画装置（データ記録装置）が普及している。録画装置には、ハードディスク等の内蔵記録媒体に、番組の映像又は音声等の内容を表す番組データを記録するものと、着脱可能な光ディスク等の可搬型の記録媒体に番組データを記録するものとがある。
内蔵記録媒体を用いる録画装置で録画を行う場合、操作のレスポンスが速いのでストレスを感じることは少ない。しかし、録画を行った録画装置でしか番組の再生を行うことができず、また、番組データを消去せずに保存し続けたときには記録容量が不足するので、番組データの保存が困難である。そして、電子機器の操作に不慣れなユーザには操作方法が理解され難く、簡単操作が実現し難いという問題がある。他の再生装置で番組を再生するために、又は番組データを保存するために、この内蔵記録媒体から可搬型の記録媒体へ番組データをダビングすることが行われているが、ダビングには手間がかかり、前記ユーザにとってはやはり操作が困難であるという問題がある。
【０００３】
特許文献１には、ハードディスクを用いて一定期間の録画を行う一方で、可搬型の記録媒体を識別するＩＤにダビングすべき番組を関連付けておき、記録媒体が装着された場合に、録画された番組の内でその記録媒体のＩＤに関連付けられた番組の番組データをダビングする録画装置が記載されている。この技術により、ダビングすべき番組を登録する作業を一旦行っておけば、可搬型の記録媒体を録画装置に装着するだけで容易にダビングが行われる。
【０００４】
一方、可搬型の記録媒体に番組データを直接記録することによって録画を行う録画装置では、ダビングを行う必要がない。家庭内で複数のユーザが同一の録画装置を利用する場合、各ユーザが自己の記録媒体を保持し、各ユーザが必要な番組データを自己の記録媒体に録画することができる。また、ユーザが複数の録画装置を所有している場合、複数の録画装置を用いて一つの記録媒体に録画を行うこともできる。しかし、録画予約を行う際には、録画装置において録画予約の情報を記憶するので、録画に使用する記録媒体とは異なる記録媒体が装着されている場合、その記録媒体に番組データが記録されてしまうことになる。そして、記録媒体が装着されていない場合、及び記録媒体の空き容量が少ない場合は録画に失敗する。複数の録画装置を用いる場合は、夫々の録画装置で録画予約の設定を行う必要があり、手間が掛かる。さらに、操作のレスポンスが遅いので、ストレスが生じることがあるという問題がある。
【０００５】
特許文献１には、また、録画予約の情報を可搬型の記録媒体に記録し、該情報に基づいて録画を行う技術が記載されている。この技術により、一の録画装置で録画予約の設定を行うことで、他の録画装置においても同一の記録媒体を用いて録画を行うことができる。
【０００６】
また、記録媒体の識別及び管理を行うために、特許文献２には、記録媒体内のコンテンツ管理情報をラベルプリント用の画像ファイルとして生成し、前記コンテンツ管理情報のラベルプリントを通常のプリンタで行うようにした再生装置の発明が開示されている。
【先行技術文献】
【特許文献】
【０００７】
【特許文献１】特開２０００−２１５５４７号公報
【特許文献２】特開２００６−１０８９２６号公報
【発明の概要】
【発明が解決しようとする課題】
【０００８】
前述の特許文献１に記載された技術の内、ハードディスクに番組データを蓄積する技術は、一定期間に放送された番組の番組データを蓄積するための大容量のハードディスク、及びチャンネル数分のチューナが必要となり、録画装置のコストが上昇する。また可搬型の記録媒体に予約情報を記録しておく技術では、録画すべき番組が放送される日時になっても記録媒体が録画装置に装着されていない場合、及び予約情報が記録されている記録媒体とは別の記録媒体が装着されている場合には録画を行うことができず、予約録画が不確実であるという問題がある。
前述の特許文献２に記載された技術では、ユーザが画像ファイル生成の操作を行う必要があり、操作が煩雑であるという問題があった。
【０００９】
本発明は、斯かる事情に鑑みてなされたものであり、光ディスク等の可搬型の記録媒体にデータを記録する機能を補助する記憶手段を内蔵することにより、確実な記録を低コストで実現することができ、前記記憶手段に登録された各記録媒体を識別可能な情報を印刷するように構成することにより、記録媒体を識別可能にし、効率良く管理することができるデータ記録装置及びデータ記録方法を提供することを目的とする。
【課題を解決するための手段】
【００１０】
本発明に係るデータ記録装置は、データを着脱可能な記録媒体に記録するデータ記録装置において、記録媒体毎にデータを記憶する複数の記憶領域、及び各記録媒体を識別可能な情報を各記憶領域に対応して記憶する複数の管理領域を有する記憶部と、前記管理領域に前記情報を記憶して、記録媒体を登録する登録手段と、前記情報を印刷するための印刷データを生成する印刷データ生成手段とを備えることを特徴とする。
【００１１】
本発明に係るデータ記録装置は、前記データのタイトルを示すタイトル情報を記憶する手段を備え、前記印刷データ生成手段は、前記タイトル情報に基づいて印刷データを生成することを特徴とする。
【００１２】
本発明に係るデータ記録装置は、印刷するようにユーザが指定した情報を受け付ける手段と、前記印刷データ生成手段は、前記情報に基づいて印刷データを生成することを特徴とする。
【００１３】
本発明に係るデータ記録装置は、前記印刷データ生成手段により生成した印刷データを印刷シートに印刷する手段を備えることを特徴とする。
【００１４】
本発明に係るデータ記録装置は、前記印刷データ生成手段により生成した印刷データを前記記録媒体に印刷する手段を備えることを特徴とする。
【００１５】
本発明に係るデータ記録装置は、前記印刷データ生成手段により生成した印刷データを出力する手段を備えることを特徴とする。
【００１６】
本発明に係るデータ記録装置は、前記印刷データ生成手段により印刷データを生成したという生成済み情報を前記記憶部に記憶する手段と、前記印刷データ生成手段により印刷データを生成したという生成済み情報を記録媒体に記録する手段とを備えることを特徴とする。
【００１７】
本発明に係るデータ記録装置は、記録媒体が装着された場合に、該記録媒体に生成済み情報が記録されているか否かを判定する第１判定手段と、前記記憶部に生成済み情報が記憶されているか否かを判定する第２判定手段と、前記第１判定手段により記録されていないと判定され、前記第２判定手段により記憶されていないと判定された場合に、前記印刷データ生成手段に印刷データを生成させる手段と、前記第１判定手段により記録されていないと判定され、前記第２判定手段により記憶されていると判定された場合に、生成済み情報を前記記録媒体に記録する手段と、前記第１判定手段により記録されていると判定された場合に、再印刷の指示を受け付ける手段とを備えることを特徴とする。
【００１８】
本発明に係るデータ記録装置は、前記登録手段に登録されている記録媒体に関連付けて、番組を指定し、番組データの記録を予約する手段と、前記番組が放送された場合に、前記記録媒体が装着されているときには、該記録媒体に前記番組データを記録する手段と、前記番組が放送された場合に、前記記録媒体が装着されていないときには、対応する記憶領域に前記番組データを記録する手段と、前記登録手段に登録されている記録媒体が装着された場合に、対応する記憶領域に記憶されている番組データの内で前記記録媒体に記録されていない番組データがあるときに、該番組データを前記記録媒体に記録する手段とを備えることを特徴とする。
【００１９】
本発明に係るデータ記録装置は、データが記録されている記録媒体が装着されている状態で、前記データの再生指示を受け付ける手段と、前記データを前記記憶部で記憶しているか否かを判定する手段と、前記データを前記記憶部で記憶している場合に、前記記憶部で記憶しているデータを再生する手段と、前記データを前記記憶部で記憶していない場合に、前記記録媒体が記録しているデータを再生する手段とを備えることを特徴とする。
【００２０】
本発明に係るデータ記録方法は、データを着脱可能な記録媒体に記録するデータ記録方法において、記録媒体毎にデータを記憶する複数の記憶領域、及び各記録媒体を識別可能な情報を各記憶領域に対応して記憶する複数の管理領域を有する記憶部を備えるデータ記録装置を用い、前記管理領域に前記情報を記憶して、記録媒体を登録するステップと、前記情報を印刷するための印刷データを生成するステップとを有することを特徴とする。
【００２１】
本発明においては、記録媒体を識別可能な情報を記憶する記憶部、及び該情報に基づく印刷データを生成する印刷データ生成手段を備えるので、該印刷データを自動的に記録媒体に記録したり、シール（印刷シート）に印刷して記録媒体の収納ケースに貼着したりすることができ、記録媒体をデータ記録装置に装着していない場合においても、記録媒体の登録情報を視認して、記録媒体を識別することができる。従って、記録媒体を効率良く管理することができる。
【００２２】
また、本発明においては、印刷データ生成手段により印刷データを生成したという生成済み情報（結果として印刷が終了したことを示す）を記憶部に記憶し、記録媒体（の管理ファイル）に記録することにより、記憶部及び記録媒体が生成済み情報を保有するか否かを照合して、二重に印刷するのを防止することができる。記憶部に生成済み情報が記憶されておらず、記録媒体に生成済み情報が記録されていない場合には、印刷データ生成手段により印刷データを生成して印刷を行う。記憶部にのみ生成済み情報が記憶されている場合は、他のデータ記録装置において記録媒体の生成済み情報が消去されている可能性が高いので、記録媒体に生成済み情報を記録させる。そして、記録媒体に生成済み情報が記録されている場合であっても、ユーザの指示により、再印刷ができるように構成されている。
【００２３】
そして、本発明においては、複数の記憶領域を有する記憶部を備えており、特定の記憶領域に対応付けて特定の記録媒体を登録し、番組の予約を記録媒体に関連付けて行う。データ記録装置は、番組の放送時に前記記録媒体が装着されている場合は記録媒体に番組データを記録し、番組の放送時に前記記録媒体が装着されていない場合は、該記録媒体を対応付けられた記憶領域に番組データを記憶させる。また、データ記録装置は、記録媒体が装着された場合に、該記録媒体に対応する記憶領域に記憶された番組データを記録媒体に記録させる。これにより、データ記録装置では、記録媒体を登録して予約しておくことで、番組の放送開始時に記録媒体が装着されていない場合においても番組データは記憶部に記憶され、後日記録媒体に記録され得る。
【００２４】
また、本発明においては、データ記録装置は、データの再生時に、データが記憶部に記憶されている場合は、記憶部に記憶されているデータに基づいて番組を再生する。これにより、記録媒体に記録されたデータに基づいてデータを再生する場合に比べて、スムースにデータを再生できる。
【発明の効果】
【００２５】
本発明によれば、記憶部に登録された各記録媒体を識別可能な情報を自動的に印刷するように構成されているので、記録媒体をデータ記録装置に装着していない場合においても、記録媒体の登録情報を視認して記録媒体を識別することが可能である。従って、記録媒体を効率良く管理することができる。
そして、番組の放送開始時間に到達してもユーザがデータ記録装置に所定の記録媒体を装着し忘れていた場合、又は前記記録媒体とは別の記録媒体を誤って装着していた場合であっても、記憶部に番組データを記録し、後日、前記記録媒体に記録することで、確実に番組データを前記記録媒体に記録させることができる。従って、大容量のハードディスク及び複数のチューナを必要とせずに、低コストで確実な番組データの記録が可能となる。
【図面の簡単な説明】
【００２６】
【図１】本発明の実施の形態１に係る録画装置の外観を示す概念図である。
【図２】本発明の実施の形態１に係る録画装置の内部構成を示すブロック図である。
【図３】本発明の実施の形態１に係る記憶部の内部構成を示す模式図である。
【図４】本発明の実施の形態１に係る記憶部の記憶領域を分割する処理の手順を示すフローチャートである。
【図５】本発明の実施の形態１に係る光ディスクドライブに光ディスクが装着された場合に録画装置が行う処理の手順を示すフローチャートである。
【図６】本発明の実施の形態１に係る光ディスクドライブに光ディスクが装着された場合に録画装置が行う処理の手順を示すフローチャートである。
【図７】本発明の実施の形態１に係る光ディスクドライブに光ディスクが装着された場合に録画装置が行う処理の手順を示すフローチャートである。
【図８】本発明の実施の形態１に係る印刷シートが光ディスクのケースに貼着された状態を示す斜視図である。
【図９】本発明の実施の形態１に係る録画装置が行う録画予約の処理の手順を示すフローチャートである。
【図１０】本発明の実施の形態１に係る保存用メモリに記憶した予約情報の内容例を示す概念図である。
【図１１】本発明の実施の形態１に係る録画装置が行う録画処理の手順を示すフローチャートである。
【図１２】本発明の実施の形態１に係る番組データを記録した光ディスク又は番組データを記憶した記憶部の状態を示す概念図である。
【図１３】本発明の実施の形態１に係る番組データを記録した光ディスク又は番組データを記憶した記憶部の状態を示す概念図である。
【図１４】本発明の実施の形態１に係る録画装置が行う同期処理の手順を示すフローチャートである。
【図１５】本発明の実施の形態１に係る光ディスクの記録内容を記憶部の記憶内容に同期させた結果を示す概念図である。
【図１６】本発明の実施の形態１に係る光ディスクの記録内容を記憶部の記憶内容に同期させた結果を示す概念図である。
【図１７】本発明の実施の形態１に係る録画装置が行う番組再生の処理の手順を示すフローチャートである。
【図１８】本発明の実施の形態２に係る録画装置の内部構成を示すブロック図である。
【図１９】本発明の実施の形態２に係る光ディスクドライブに光ディスクが装着された場合に録画装置が行う処理の手順を示すフローチャートである。
【図２０】本発明の実施の形態２に係る光ディスクドライブに光ディスクが装着された場合に録画装置が行う処理の手順を示すフローチャートである。
【図２１】本発明の実施の形態２に係る光ディスクドライブに光ディスクが装着された場合に録画装置が行う処理の手順を示すフローチャートである。
【図２２】本発明の実施の形態３に係る録画装置の外観を示す概念図である。
【図２３】本発明の実施の形態３に係る録画装置の内部構成を示すブロック図である。
【図２４】本発明の実施の形態３に係る光ディスクドライブに光ディスクが装着された場合に録画装置が行う処理の手順を示すフローチャートである。
【図２５】本発明の実施の形態３に係る光ディスクドライブに光ディスクが装着された場合に録画装置が行う処理の手順を示すフローチャートである。
【図２６】本発明の実施の形態３に係る光ディスクドライブに光ディスクが装着された場合に録画装置が行う処理の手順を示すフローチャートである。
【発明を実施するための形態】
【００２７】
以下本発明をその実施の形態を示す図面に基づき具体的に説明する。
実施の形態１．
図１は、本発明の実施の形態１に係る録画装置（データ記録装置）１の外観を示す概念図である。録画装置１には、テレビジョン受像機である映像表示装置４が接続されており、録画装置１は、映像表示装置４に対して映像信号及び音声信号を出力し、映像表示装置４は、映像信号に基づいた映像を表示し、音声信号に基づいた音声を出力する。また録画装置１は、ユーザによって操作されるリモコン（リモートコントローラ）５からの信号を受信することにより、録画予約の指示等の各種の指示を受け付ける。
録画装置１は、後述するシール（印刷シート）印刷部１６を内蔵しており、録画装置１に装着される光ディスクを識別するための情報を記憶部１２に記憶し、該情報をシール印刷部１６によりシール４０に印刷し、シール排紙部１７の排紙口１７ａからシール４０を排紙して、ユーザが光ディスク６１のケース６０に貼着するように構成されている。
【００２８】
図２は、本発明のデータ記録装置である録画装置１の内部構成を示すブロック図である。録画装置１は、図示しない外部のアンテナ等に接続されてあり、デジタル放送の放送波を復調した放送信号を入力される放送入力部３１と、図示しない外部チューナ等の外部装置から映像信号及び音声信号を入力される信号入力部３２とを備えている。更に録画装置１は、リモコン５からの信号を受信するリモコン受信部３３と、映像表示装置４へ映像信号を出力する信号出力部３４と、放送された番組の内容を表す番組データを記録するハイブリッドドライブ部１０と、放送波から映像信号及び番組データを生成する処理を行うバックエンド部３０とを備えている。
【００２９】
バックエンド部３０は、デジタルチューナ２１及びエンコーダ２２を備えており、デジタルチューナ２１には放送入力部３１が接続され、エンコーダ２２には信号入力部３２が接続されている。デジタルチューナ２１は、放送入力部３１からデジタル放送の放送信号を入力され、選局されたチャンネル即ち特定の周波数帯の放送信号をＭＰＥＧ（Moving Picture Experts Group）−２ＴＳ（Transport Stream）等のデジタルのストリームデータに変換する。エンコーダ２２は、信号入力部３２から映像信号及び音声信号を入力され、映像信号及び音声信号をＭＰＥＧ−２ＰＳ（Program Stream）又はＭＰＥＧ−２ＴＳ等のデジタルのストリームデータにエンコードする処理を行う。またバックエンド部３０は、ストリーム処理部２３を備えており、デジタルチューナ２１及びエンコーダ２２はストリーム処理部２３に接続されている。ストリーム処理部２３は、デジタルチューナ２１及びエンコーダ２２からストリームデータを入力され、デジタル放送用のスクランブルを解除する処理等のストリームデータに対するデータ処理を行う。
【００３０】
ストリーム処理部２３は、バックエンド部３０内のシステムバスに接続されている。またシステムバスには、演算を行う演算部を含む録画／再生制御部２４、揮発性メモリである制御用メモリ２５、不揮発性メモリである保存用メモリ２７、及びストリームデータをデコードするデコーダ２８が接続されている。またデコーダ２８には、映像処理部２９が接続されている。録画／再生制御部２４は、システムバスに接続された各部間でのデータの入出力を制御する処理を行う。また録画／再生制御部２４にはバックエンド部３０外のリモコン受信部３３が接続されており、録画／再生制御部２４は、リモコン受信部３３からの信号を入力されることにより、ユーザからの各種の指示を受け付ける。なお、録画装置１は、更に、チューナ装置等の外部装置からストリームデータを受信するイーサネット（登録商標）等のデジタルインタフェースを備えていてもよい。このデジタルインタフェースは、ストリーム処理部２３に接続されている。
【００３１】
制御用メモリ２５は、ストリーム処理部２３又は録画／再生制御部２４等が実行する演算に伴う一時的な情報を記憶する。保存用メモリ２７は、録画／再生制御部２４の動作に必要な制御プログラム、及び録画予約の内容を記録した予約情報等の保存する必要がある情報を記憶する。デコーダ２８は、ストリームデータを映像信号及び音声信号へデコードし、映像信号及び音声信号を映像処理部２９へ入力する。映像処理部２９は、画素の補間又は色調整等の画像処理を映像信号に対して実行する。映像処理部２９にはバックエンド部３０外の信号出力部３４が接続されており、映像信号及び音声信号は信号出力部３４から映像表示装置４へ出力される。
【００３２】
更に、バックエンド部３０内のシステムバスには、ＳＡＴＡ（Serial Advanced Technology Attachment ）等のインタフェース部２６が接続されており、インタフェース部２６には、バックエンド部３０外のハイブリッドドライブ部１０が接続されている。バックエンド部３０は、インタフェース部２６を介してハイブリッドドライブ部１０との間でデータを交換する。
【００３３】
ハイブリッドドライブ部１０は、バックエンド部３０に接続するＳＡＴＡ等のインタフェース部１４と、光ディスクドライブ１１と、データを記憶する記憶部１２と、ハイブリッドドライブ部１０の各部の動作を制御するドライブ制御部１３と、シール４０に印刷するための印刷データを生成する印刷データ生成部１５と、シール４０に前記印刷データを印刷するシール印刷部１６と、シール４０を排紙するシール排紙部１７とを備えている。ハイブリッドドライブ部１０は、インタフェース部１４を介してバックエンド部３０との間でデータを交換する。光ディスクドライブ１１は、ブルーレイディスク又はＤＶＤ（Digital Versatile Disk）等の光ディスク６１を装着され、装着された光ディスク６１からのデータの読み出し、及び光ディスク６１へのデータの記録を行う。光ディスク６１は、光ディスクドライブ１１に対して着脱可能であり、本発明における記録媒体に相当する。記憶部１２は、フラッシュメモリ等の不揮発性メモリ又はハードディスクで構成されており、少なくとも光ディスク６１の記録容量と同等の記憶容量を有している。
【００３４】
図３は、記憶部１２の内部構成を示す模式図である。記憶部１２は、記憶部１２の記憶内容を管理するための情報を記憶する管理領域、並びに番組データを記憶するための第１領域、第２領域、…、第ｎ領域及び予備領域の複数の記憶領域を含んで構成されている。ここで、ｎは正の整数である。ｎは予め適当な値に定められており、録画装置１の出荷時点では、記憶部１２の記憶領域が管理領域、第１〜第ｎ領域及び予備領域の複数の記憶領域に予め分割されている。
【００３５】
記憶部１２の記憶領域の内、第１〜第ｎ領域は、個別に特定の光ディスクを対応付けておき、対応づけた光ディスクに応じたデータを記憶するための記憶領域である。例えば、第１領域には特定の光ディスク６１が対応付けられ、第２領域には特定の光ディスク６２が対応付けられる。録画装置１の出荷時点では、いずれの領域にも光ディスクは対応付けられていない。録画装置１を使用するためには、ユーザ所有の光ディスクを何れかの記憶領域に対応付けて登録する処理を行う必要がある。また予備領域は、その他のデータを記憶するための記憶領域である。
【００３６】
記憶部１２の管理領域は、図３に示すように、管理領域を管理するための情報を記憶する管理領域管理部と、第１領域、第２領域、…、第ｎ領域及び予備領域の夫々を管理するための情報を記憶する第１領域管理部、第２領域管理部、…、第ｎ領域管理部及び予備領域管理部とを含んで構成されている。管理領域管理部は、記憶部１２の記憶領域を分割した数を示すエントリ数と、管理領域中で第１〜第ｎ領域管理部及び予備領域管理部の夫々に割り当てられたエリアのアドレスを示す割り当てエリア情報とが記憶されている。
【００３７】
第１領域管理部には、第１記憶領域の番号を示すエントリ番号、第１領域に実際に光ディスクが対応付けられているか否かを示す割り当てフラグ、及び対応付けられた光ディスクを識別するためのメディアＩＤが記憶される。また、第１領域管理部には、記憶部１２の記憶領域中で第１領域に割り当てられたエリアのアドレスを示す割り当てエリア情報、光ディスクのコピーガードに利用するための情報であるメディアキー情報、第１領域に係るデータの分布状態を示すマップ情報、光ディスク名称、シール４０に印刷するようにユーザが指定したユーザ指定画像情報、及びシール４０に光ディスクの識別情報が印刷されたことを示す印刷済み情報が記憶される。
メディアＩＤ及びメディアキー情報は、光ディスクに予め記録されている情報であり、個々の光ディスクについて固有の情報である。録画装置１の出荷時点では、第１領域にはまだ光ディスク６１が対応付けられていないので、割り当てフラグは光ディスクが対応付けられていないことを示しており、特定の光ディスク６１に固有のメディアＩＤ及びメディアキー情報はまだ記憶されていない。マップ情報は、第１領域で記憶するデータ、及び第１領域に対応付けられた光ディスク６１で記録するデータが、第１領域及び光ディスク６１のどのアドレスに分布しているのかを示している。第２〜第ｎ領域管理部の夫々にも、同様の情報が記憶される。
【００３８】
なお、録画装置１は、記憶部１２の記憶領域が予め分割されているのではなく、ユーザがｎの値を指定することによりｎを決定し、ｎの値に応じて記憶部１２の記憶領域を分割する処理を行う形態であってもよい。図４は、記憶部１２の記憶領域を分割する処理の手順を示すフローチャートである。録画／再生制御部２４は、録画装置１に登録できる光ディスクの枚数の指定を受け付けるための受付画面を映像表示装置４に表示させ、ユーザが所定の操作を行ったリモコン５からの信号をリモコン受信部３３が受信することによって、登録できる光ディスクの枚数の指定を受け付ける（Ｓ１１）。録画／再生制御部２４は、記憶部１２の管理領域管理部に、指定された枚数の値を、エントリ数ｎとして記憶させることにより、エントリ数を設定する（Ｓ１２）。
録画／再生制御部２４は、次に、記憶部１２の管理領域中に第１〜第ｎ領域管理部及び予備領域管理部を確保し、夫々に割り当てられたエリアのアドレスを示す割り当てエリア情報を管理領域管理部に記憶させることにより、第１領域管理部、第２領域管理部、…、第ｎ領域管理部及び予備領域管理部を設定する（Ｓ１３）。
録画／再生制御部２４は、次に、記憶部１２の管理領域以外の記憶領域を（ｎ＋１）分割し、第１〜第ｎ領域及び予備領域の夫々に割り当てられたエリアのアドレスを示す割り当てエリア情報を、第１〜第ｎ領域管理部及び予備領域管理部の夫々に記憶させることにより、第１〜第ｎ領域及び予備領域を設定する（Ｓ１４）。録画装置１は、以上で記憶部１２の記憶領域を分割する処理を終了する。
【００３９】
次に、本発明のデータ記録方法について説明する。図５乃至図７は、光ディスクドライブ１１に光ディスクが装着された場合に録画装置１が行う処理の手順を示すフローチャートである。ユーザの操作により光ディスクドライブ１１に光ディスクが装着された場合は、ドライブ制御部１３は、光ディスク中の所定の位置に記録された情報を光ディスクドライブ１１に読み出させることにより、光ディスクのメディアＩＤを読み出し、インタフェース部１４からバックエンド部３０へ入力する。録画／再生制御部２４は、読み出したメディアＩＤが記憶部１２の第１〜第ｎ領域管理部のいずれかに記憶されているかを判定することにより、装着された光ディスクが既に登録済みの光ディスクであるか否かを判定する（Ｓ２０１）。
メディアＩＤが記憶部１２に記憶されておらず、光ディスクが未登録であった場合は（Ｓ２０１：ＮＯ）、録画／再生制御部２４は、光ディスクドライブ１１で光ディスクから読み出したデータに基づき、光ディスクがフォーマット済みの光ディスクであるか否かを判定する（Ｓ２０２）。ステップＳ２０２では、例えば、ｖｏｌｕｍｅ  ｄｅｓｃｒｉｐｔｏｒに基づいて判定を行う。光ディスクがフォーマット済みの光ディスクであった場合は（Ｓ２０２：ＹＥＳ）、録画／再生制御部２４は、光ディスクドライブ１１で光ディスクから読み出したデータに基づき、光ディスクが再生専用の光ディスクであるか否かを判定する（Ｓ２０３）。
【００４０】
光ディスクが再生専用ではなかった場合は（Ｓ２０３：ＮＯ）、録画／再生制御部２４は、光ディスクのフォーマット指示を受け付けたか否かを判定する（Ｓ２０４）。例えば、録画／再生制御部２４は、光ディスクのフォーマット指示を受け付けるための受付画面用の映像信号をデコーダ２８及び映像処理部２９を介して信号出力部３４から映像表示装置４へ送信することにより、映像表示装置４に、フォーマット指示を受け付けるための受付画面を表示させる。受付画面を確認したユーザは、フォーマットを行う際には、リモコン５を操作することによって、フォーマットの指示を入力する。ユーザの操作に基づきリモコン５が送信した所定の信号をリモコン受信部３３が受信することによって、光ディスクのフォーマット指示を受け付けた場合（Ｓ２０４：ＹＥＳ）、又はステップＳ２０２で光ディスクがフォーマット済みではなかった場合は（Ｓ２０２：ＮＯ）、録画／再生制御部２４は、ドライブ制御部１３及び光ディスクドライブ１１に、光ディスクをフォーマットさせる（Ｓ２０５）。光ディスクのフォーマット指示の受け付けがない場合は（Ｓ２０４：ＮＯ）、録画／再生制御部２４は、光ディスクの登録指示を受け付けたか否かを判定する（Ｓ２０６）。例えば、録画／再生制御部２４は、登録指示を受け付けるための受付画面を映像表示装置４に表示させ、光ディスクの登録を行うか否かの指示をリモコン受信部３３で受け付ける。なお、初期化の指示を受け付けるための受付画面と、登録指示を受け付けるための受付画面とを一つに合わせた受付画面を映像表示装置４に表示させる処理を行ってもよい。
【００４１】
ステップＳ２０５が終了した場合、又はステップＳ２０６で光ディスクの登録指示を受け付けた場合は（Ｓ２０６：ＹＥＳ）、録画／再生制御部２４は、記憶部１２の管理領域に記憶された情報に基づき、記憶部１２の第１〜第ｎ領域の内で光ディスクが対応付けられていない記憶領域があるか否かを判定する（Ｓ２０７）。光ディスクが対応付けられていない記憶領域がない場合（Ｓ２０７：ＮＯ）、録画／再生制御部２４は、各記憶領域に対応付けて登録してある光ディスクの内で何れかの光ディスクの登録を解消することの指示を受け付けたか否かを判定する（Ｓ２０８）。例えば、録画／再生制御部２４は、光ディスクの新規登録ができないことを報知した上で既に登録されている光ディスクの登録解消の指示を受け付けるための受付画面を映像表示装置４に表示させ、登録解消をするか否かの指示をリモコン受信部３３で受け付ける。なお、どの光ディスクの登録を解消するかの指示をも受け付ける処理を行ってもよい。登録解消の指示を受け付けた場合は（Ｓ２０８：ＹＥＳ）、録画／再生制御部２４は、ドライブ制御部１３に、記憶部１２の管理領域に記憶されている一の光ディスクに固有の情報を消去させることにより、一の光ディスクの登録を解消する処理を行う（Ｓ２０９）。例えば、記憶部１２の第２領域に対応付けられている光ディスク６２の登録を解消する場合は、対応する記憶部１２の第２領域管理部に記憶されているメディアＩＤ及びメディアキー情報を消去することにより、登録を解消する処理を行う。またこのとき、第２領域管理部に記憶されている割り当てフラグは、光ディスクが対応付けられていないことを示すフラグに書き換えられる。
【００４２】
ステップＳ２０７で光ディスクが対応付けられていない記憶領域がある場合（Ｓ２０７：ＹＥＳ）、又はステップＳ２０９が終了した場合は、録画／再生制御部２４は、光ディスクドライブ１１に装着された光ディスクを、光ディスクが対応付けられていない記憶領域のいずれかに対応付けて登録する処理を行う（Ｓ２１０）。ここで、記憶部１２の第１領域に光ディスク６１を対応付ける場合、光ディスクドライブ１１に装着されている光ディスク６１から読み出したメディアＩＤ及びメディアキー情報を記憶部１２の第１領域管理部に記憶させる。また第１記憶管理部に記憶されている割り当てフラグを、光ディスク６１が対応付けられていることを示すフラグに書き換える。さらに、光ディスク６１を識別するための光ディスク名称を記憶させてもよい。ステップＳ２０１で光ディスクが登録済みであった場合（Ｓ２０１：ＹＥＳ）、又はステップＳ２１０が終了した場合は、処理をステップＳ２１２へ進める。
【００４３】
ステップＳ２０３で光ディスクが再生専用であった場合（Ｓ２０３：ＹＥＳ）、ステップＳ２０６で光ディスクの登録指示の受付がなかった場合（Ｓ２０６：ＮＯ）、又はステップＳ２０８で登録解消の指示の受付がなかった場合は（Ｓ２０８：ＮＯ）、録画／再生制御部２４は、光ディスクドライブ１１に装着されている光ディスクに対して、未登録の光ディスクとしてアクセスを開始し（Ｓ２１１）、処理をステップＳ２２１へ進める。
【００４４】
録画／再生制御部２４は、ステップＳ２１２において、光ディスク６１の管理ファイルに印刷済み情報（生成済み情報）が記録されているか否かを判定する。記録されていると判定した場合（Ｓ２１２：ＹＥＳ）、処理をステップＳ２１６へ進める。
録画／再生制御部２４は、光ディスク６１に記録されていないと判定した場合（Ｓ２１２：ＮＯ）、記憶部１２の該当する第１領域管理部に印刷済み情報が記憶されているか否かを判定する（Ｓ２１３）。記憶されていないと判定した場合（Ｓ２１３：ＮＯ）、印刷を予約して（Ｓ２１４）、処理をステップＳ２１８へ進める。
録画／再生制御部２４は、記憶部１２に記憶されていると判定した場合（Ｓ２１３：ＹＥＳ）、印刷済み情報を光ディスクの管理ファイルに記録して（Ｓ２１５）、処理をステップＳ２１６へ進める。ここで、記憶部１２の第１領域管理部にのみ印刷済み情報が記憶されている場合、他の機器で光ディスク６１の管理ファイル内の印刷済み情報が消去されてしまった可能性が高いので、光ディスク６１の管理ファイルに印刷済み情報を記録することにしている。
【００４５】
録画／再生制御部２４は、ステップＳ２１６において、ユーザに再印刷をするか否かを問い合わせる画面を映像表示装置４に表示させ、ユーザより再印刷の指示を受け付けたか否かを判定する。印刷データがシール４０に印刷され、光ディスク６１のケース６０に貼着されている場合においても、印刷が物理的に消えてしまうことがあり、ユーザの操作により再印刷できるように構成されている。また、記憶部１２の該当する第１領域管理部に印刷済み情報が記憶されておらず、光ディスク６１の管理ファイルのみに印刷済み情報が記録されている場合、他の録画装置等の機器でシール印刷された可能性が高いが、ユーザが再度、シール印刷することができるように構成されている。
録画／再生制御部２４は、再印刷の指示の受け付けがないと判定した場合（Ｓ２１６：ＮＯ）、処理をステップＳ２２０へ進める。
録画／再生制御部２４は、再印刷の指示を受け付けたと判定した場合（Ｓ２１６：ＹＥＳ）、再印刷の予約を行う（Ｓ２１７）。
【００４６】
次に、録画／再生制御部２４は、ユーザ指定の画像情報の有無を問い合わせる画面を映像表示装置４に表示させ、該画像情報を受け付けたか否かを判定する（Ｓ２１８）。シール４０に印刷する印刷データの内容として、記憶部１２の該当する第１領域管理部に記憶されたエントリ番号、光ディスク名称等が挙げられるが、ユーザがシール４０に表示したい文字等を入力して画像情報を指定できるように構成されており、この画像情報を受け付けたか否かを判定する。ユーザ指定の画像情報の受け付けがないと判定した場合（Ｓ２１８：ＮＯ）、処理をステップＳ２２０へ進める。前記画像情報を受け付けたと判定した場合（Ｓ２１８：ＹＥＳ）、該画像情報を第１領域管理部に記憶させる画像情報記憶処理を行う（Ｓ２１９）。
そして、録画／再生制御部２４は、ステップＳ２２０において、録画又は再生等の処理を実行するために、光ディスクドライブ１１に装着されている光ディスク６１へのアクセスを開始する。
【００４７】
録画／再生制御部２４は、録画又は再生等の処理が終了したか否かを判定する（Ｓ２２１）。処理が終了していないと判定した場合（Ｓ２２１：ＮＯ）、この判定を繰り返す。
録画／再生制御部２４は処理が終了したと判定した場合（Ｓ２２１：ＹＥＳ）、印刷予約（再印刷予約も含む）がされているか否かを判定する（Ｓ２２２）。印刷予約がされていないと判定した場合（Ｓ２２２：ＮＯ）、処理をステップＳ２２８へ進める。
録画／再生制御部２４は、印刷予約がされていると判定した場合（Ｓ２２２：ＹＥＳ）、シール印刷処理を行う（Ｓ２２３）。録画／再生制御部２４は、印刷データ生成部１５に、第１領域管理部に記憶されたエントリ番号、光ディスク名称、及びユーザ指示画像情報の中から予め選択された情報、又はこの時点においてユーザにより選択された情報について、大きさ、位置等を決め、印刷のための所要の処理を行って印刷データを生成させる。ここで、録画／再生制御部２４は、後述するタイトル情報を保存用メモリ２７から読み出して、該タイトル情報に基づき印刷データを生成することにしてもよい。そして、生成した印刷データをシール印刷部１６によりシール４０に印刷させる。印刷方式は、インクジェットプリント方式、トナー方式、熱転写方式、感熱方式のいずれでもよい。
【００４８】
録画／再生制御部２４は、シール印刷が終了したか否かを判定する（Ｓ２２４）。シール印刷が終了していないと判定した場合（Ｓ２２４：ＮＯ）、この判定を繰り返す。
録画／再生制御部２４は、シール印刷が終了したと判定した場合（Ｓ２２４：ＹＥＳ）、記憶部１２の第１領域管理部に印刷済みであるという印刷済み情報を記憶し（Ｓ２２５）、光ディスク６１の管理ファイルに印刷済み情報を記録する（Ｓ２２６）。
そして、録画／再生制御部２４は、シール排紙部１７に前記印刷データが印刷されたシール４０を排紙させる（Ｓ２２７）。
録画／再生制御部２４は、ユーザより光ディスク６１の排出を指示されたか否かを判定する（Ｓ２２８）。排出を指示されていないと判定した場合（Ｓ２２８：ＮＯ）、この判定を繰り返す。
録画／再生制御部２４は排出を指示されたと判定した場合（Ｓ２２８：ＹＥＳ）、トレイ（図示せず）をスライドさせて光ディスク６１を録画装置１から排出し（Ｓ２２９）、処理を終了する。
【００４９】
図８は、シール４０が光ディスク６１のケース６０に貼着された状態を示す斜視図である。
シール４０には、光ディスク６１のエントリ番号に基づく「マイディスクＮｏ．１」と、タイトル情報に関連してユーザが指定したユーザ指定画像情報に基づく「映画「少年の冒険」シリーズ」とが印刷されている。
【００５０】
録画装置１は、登録された光ディスクが光ディスクドライブ１１に装着されている状態で、録画予約の処理を行う。図９は、録画装置１が行う録画予約の処理の手順を示すフローチャートである。録画／再生制御部２４は、録画すべき番組の指定を受け付けるための受付画面を映像表示装置４に表示させ、ユーザの操作に基づく信号をリモコン受信部３３で受信することによって、録画すべき番組の指定を受け付ける（Ｓ３１）。例えば、映像表示装置４は、電子番組表を表示し、ユーザは電子番組表を確認しながらリモコン５を操作することによって、番組が電子番組上で指定される。録画／再生制御部２４は、次に、受け付けた番組の指定に従って、録画を予約した番組を指定する予約情報を生成し、光ディスクドライブ１１に装着されている光ディスクのメディアＩＤと関連付けて、予約情報を保存用メモリ２７に記憶させる（Ｓ３２）。録画／再生制御部２４は、次に、ドライブ制御部１３及び光ディスクドライブ１１に、光ディスクドライブ１１に装着されている光ディスクに予約情報を記録させる（Ｓ３３）。録画装置１は、以上で録画予約の処理を終了する。
【００５１】
図１０は、保存用メモリ２７に記憶した予約情報の内容例を示す概念図である。メディアＩＤと予約情報とが互いに関連付けられて記憶されている。予約情報は、チャンネル、番組の放送日時を示す情報を含んでおり、これらの情報により番組が指定される。なお、予約情報は、メディアＩＤの代わりに、光ディスクが対応付けられた記憶部１２の記憶領域のエントリ番号に関連付けて記憶されてもよい。このようにして、保存用メモリ２７は、登録されている光ディスクに関連付けて予約情報を記憶する。
【００５２】
図１１は、録画装置１が行う録画処理の手順を示すフローチャートである。録画／再生制御部２４は、クロックに基づいて日時を計測し、保存用メモリ２７に記憶してある予約情報に含まれる情報が示す番組の放送日時になったか否かを随時判定する（Ｓ４１）。まだ番組の放送日時ではない場合は（Ｓ４１：ＮＯ）、録画／再生制御部２４は、日時の計測を続行する。予約情報に含まれる情報が示す番組の放送日時になった場合は（Ｓ４１：ＹＥＳ）、録画／再生制御部２４は、光ディスクドライブ１１に光ディスクが装着されているか否かを判定する（Ｓ４２）。光ディスクドライブ１１に光ディスクが装着されている場合は（Ｓ４２：ＹＥＳ）、録画／再生制御部２４は、光ディスクドライブ１１に装着されている光ディスクが放送日時を示す情報を含む予約情報に関連付けられた光ディスク６１であるか否かを判定する（Ｓ４３）。ステップＳ４３では、録画／再生制御部２４は、光ディスクからメディアＩＤを読み出し、予約情報に関連付けて保存用メモリ２７で記憶してあるメディアＩＤと読み光ディスクドライブ１１に出したメディアＩＤとが一致するか否かに応じて、判定を行う。
なお、光ディスクが装着されている場合、予め図５に示す登録処理、及び印刷又は再印刷の予約処理が実行されている。
【００５３】
ステップＳ４３で、メディアＩＤが一致しており、光ディスクが予約情報に関連付けられた光ディスク６１である場合は（Ｓ４３：ＹＥＳ）、録画／再生制御部２４は、放送が開始された番組の内容を表す番組データを光ディスクドライブ１１で、ドライブ制御部１３により光ディスク６１に記録させる処理を行う（Ｓ４４）。ステップＳ４４では、デジタルチューナ２１は予約情報が示すチャンネルの放送信号をストリームデータへ変換し、ストリーム処理部２３はストリームデータに対するデータ処理を行い、録画／再生制御部２４は、ストリームデータをインタフェース部２６からハイブリッドドライブ部１０へ入力させる。ストリームデータは、デコードすることで番組を再生することが可能であり、番組の内容を表す番組データである。例えば、放送日時になった番組を指定する予約情報が光ディスク６１に関連付けられてあり、光ディスク６１が光ディスクドライブ１１に装着されている場合は、光ディスク６１に番組データが記録される。なお、録画／再生制御部２４は、光ディスクに番組データを記録させると共に、記憶部１２の記憶領域の内で、予約情報に関連付けられた光ディスクが対応付けられた記憶領域に番組データを記憶させる処理を行ってもよい。
【００５４】
番組の放送が終了し、番組データの記録が終了した場合、録画／再生制御部２４は、光ディスクに記録した番組データが表す番組のタイトルを示すタイトル情報を光ディスク６１に記録させる（Ｓ４６）。番組のタイトルには、電子番組表で表示されるタイトル等、デジタルチューナ２１が受信する放送信号に含まれる情報に基づいて決定したタイトルを用いてもよく、またユーザがリモコン５を操作することにより設定されたタイトルを用いてもよい。録画／再生制御部２４は、次に、光ディスク６１に記録させたタイトル情報と同等のタイトル情報を、保存用メモリ２７に記憶する（Ｓ４７）。なお、録画／再生制御部２４は、記憶部１２の記憶領域の内で、予約情報に関連付けられた光ディスクが対応付けられた記憶領域にタイトル情報を記憶させる処理を行ってもよい。
【００５５】
ステップＳ４２で光ディスクドライブ１１に光ディスクが装着されていない場合（Ｓ４２：ＮＯ）、又はステップＳ４３でメディアＩＤが一致しておらず、光ディスクが予約情報に関連付けられた光ディスク６１ではない場合は（Ｓ４３：ＮＯ）、録画／再生制御部２４は、放送が開始された番組の内容を表す番組データを、記憶部１２の記憶領域の内で、予約情報に関連付けられた光ディスク６１に対応付けられた記憶領域に記憶させる（Ｓ４５）。例えば、放送日時になった番組を指定する予約情報が光ディスク６１に関連付けられており、光ディスクドライブ１１に光ディスクが装着されていないか、又は光ディスクドライブ１１に光ディスク６１以外の光ディスクが装着されている場合は、記憶部１２の第１領域に番組データが記憶される。番組の放送が終了し、番組データの記録が終了した場合、録画／再生制御部２４は、記憶部１２に記憶させた番組データが表す番組のタイトルを示すタイトル情報を、保存用メモリ２７に記憶する（Ｓ４７）。
【００５６】
ステップＳ４７が終了した後は、録画／再生制御部２４は、光ディスク６１に記録した番組データ又は記憶部１２に記憶した番組データの分布状態を示すマップ情報を、ステップＳ４７までの処理を反映するように更新する（Ｓ４８）。録画／再生制御部２４は、次に、録画が終了した番組の予約情報を光ディスク６１及び保存用メモリ２７から消去する処理を行い（Ｓ４９）、録画処理を終了する。
【００５７】
図１２は、番組データを記録した光ディスク又は番組データを記憶した記憶部１２の状態を示す概念図である。図１２（ａ）は、ステップＳ４５によって記憶部１２の第１領域に番組１の番組データが記録された状態を示し、更に、光ディスク６１の記録内容及び第１領域の記録内容の少なくとも一方に含まれる番組データを記録する仮想的なディスク（仮想ディスク）の記録イメージを示す。第１領域に番組１の番組データが記憶されており、それに伴って仮想ディスクにも番組データが記録されている。図１２（ｂ）は、記憶部１２の第１領域管理部に記憶されたマップ情報の内容例を示す。番組データのデータ名に関連付けて、仮想ディスク及び第１領域におけるデータの分布が、先頭アドレス及びデータのサイズによって記録されている。更に、第１領域と光ディスク６１とでの番組データの同期状態を示す情報が記録されている。仮想ディスクと第１領域とでは、番組データの先頭アドレスが異なるものの、同サイズの番組データが記録されていることが示されている。また番組データは光ディスク６１には記録されていないので、同期状態は未同期となっている。なお、本実施例では、メモリのアドレス及びデータのサイズを十進法の数字で示している。図１２（ｃ）は、タイトル情報の内容例を示す。番組データが表す番組のタイトルに関連付けて、番組が継続する時間の長さ、画質、ダビング可能回数、及び同期状態を示す情報が記録されている。なお、番組データのデータ名とタイトル名とは、図１２に示したように同一でもよいが、互いに異なっていてもよい。
【００５８】
図１３は、ステップＳ４４によって光ディスク６１に番組１の番組データが記録された状態を示す。図１３（ａ）に示すように、光ディスク６１に番組１の番組データが記録され、それに伴って仮想ディスクにも番組データが記録される。図１３（ｂ）に示すように、マップ情報では、仮想ディスクに番組データが記録されている一方で、第１領域には番組データが記憶されていないことが記録されている。また図１３（ｃ）に示すように、タイトル情報では、光ディスク６１に記録された番組データに関しては、ダビング可能回数が記録されない。
【００５９】
録画装置１は、前記ステップＳ２２０で登録済みの光ディスクにアクセスを開始した後、光ディスクの記録内容を記憶部１２の対応する記憶領域での記憶内容に同期させる処理を行う。図１４は、録画装置１が行う同期処理の手順を示すフローチャートである。ステップＳ２２０で光ディスクにアクセスを開始した後、録画／再生制御部２４は、光ディスクの記録内容と、記憶部１２の記憶領域の内で光ディスクが対応付けられている記憶領域での記憶内容とを比較し、光ディスクに未記録の番組データが該当する記憶領域に記憶されているか否かを判定する（Ｓ５１）。ステップＳ５１では、例えば、光ディスク６１に未記録の番組データが記憶部１２の第１記憶領域に記憶されているか否かを判定する。未記録の番組データが記憶されている場合は（Ｓ５１：ＹＥＳ）、録画／再生制御部２４は、記憶部１２から光ディスク６１へ未記録の番組データをコピーする（Ｓ５２）。ステップＳ５２では、録画／再生制御部２４は、ドライブ制御部１３に、記憶部１２から未記録の番組データを読み出させ、読み出した番組データを光ディスクドライブ１１で光ディスク６１に記録させる。
【００６０】
録画／再生制御部２４は、次に、番組データを光ディスクが記録した状態を反映させるように、保存用メモリ２７に記憶したタイトル情報を更新し（Ｓ５３）、記憶部１２の管理領域で記憶するマップ情報を更新する（Ｓ５４）。ステップＳ５４では、例えば、光ディスク６１が番組データを記録した状態を反映するように、記憶部１２の第１領域管理部で記憶したマップ情報を更新する。
【００６１】
録画／再生制御部２４は、次に、光ディスクに記録した番組データに係る予約情報、即ち、その番組データが表す番組を録画するために生成した予約情報が光ディスクに記録されているか否かを判定する（Ｓ５５）。光ディスクに記録した番組データに係る予約情報が光ディスクに記録されている場合は（Ｓ５５：ＹＥＳ）、録画／再生制御部２４は、ドライブ制御部１３に、光ディスクドライブ１１で光ディスクから該当する予約情報を消去させる（Ｓ５６）。
【００６２】
ステップＳ５１で光ディスクに未記録の番組データが記憶されていない場合（Ｓ５１：ＮＯ）、ステップＳ５５で光ディスクに記録した番組データに係る予約情報が光ディスクに記録されていない場合（Ｓ５５：ＮＯ）、又はステップＳ５６が終了した後は、録画／再生制御部２４は、保存用メモリ２７で未記憶の予約情報が光ディスクに記録されているか否かを判定する（Ｓ５７）。保存用メモリ２７で未記憶の予約情報が光ディスクに記録されている場合は（Ｓ５７：ＹＥＳ）、録画／再生制御部２４は、未記憶の予約情報を光ディスクから保存用メモリ２７へコピーする（Ｓ５８）。ステップＳ５８では、録画／再生制御部２４は、ドライブ制御部１３に、光ディスクドライブ１１で光ディスクから未記憶の予約情報を読み出させ、インタフェース部１４を介してバックエンド部３０へ予約情報を入力させ、入力された予約情報を保存用メモリ２７に記憶する。ステップＳ５７で未記憶の予約情報が光ディスクに記録されていない場合（Ｓ５７：ＮＯ）、又はステップＳ５８が終了した後は、録画／再生制御部２４は、同期の処理を終了する。
【００６３】
図１５及び図１６は、光ディスクの記録内容を記憶部１２の記憶内容に同期させた結果を示す概念図である。図１５は、図１２に示す状態で、番組データを記録していない光ディスク６１が光ディスクドライブ１１に装着された場合の同期結果を示す。図１５（ａ）に示すように、光ディスク６１には、第１領域に記憶されている番組データと同一の番組データが記録される。また図１５（ｂ）に示すように、マップ情報では、番組１の番組データが仮想ディスク及び第１領域の両方に記憶され、番組１の番組データに関して光ディスク６１の記録内容と第１領域の記憶内容とが同期していることが記録されている。また図１５（ｃ）に示すように、タイトル情報でも、番組１の番組データに関して光ディスク６１と第１領域とで同期していることが記録されている。
【００６４】
図１６は、図１２に示す状態で、記憶部１２の第１領域に記憶されている番組データとは別の番組データが記録された光ディスク６１が光ディスクドライブ１１に装着された場合の同期結果を示す。記憶部１２の第１領域で番組１の番組データを記憶している状態で、番組１の番組データを記録しておらず、番組２の番組データを記録している光ディスク６１が光ディスクドライブ１１に装着された場合、光ディスク６１には、番組１の番組データが追加記録される。図１６（ａ）に示すように、光ディスク６１には、既に記録してある番組２の番組データに加えて、番組１の番組データが記録される。第１領域には、番組１の番組データが記憶されたままであり、仮想ディスクには番組１及び番組２の番組データが記録された状態となる。図１６（ｂ）に示すように、マップ情報では、番組１の番組データが仮想ディスク及び第１領域の両方に記憶され、番組１の番組データに関して光ディスク６１と第１領域とが同期しており、番組２の番組データは第１領域には記憶されていないことが記録されている。また図１６（ｃ）に示すように、タイトル情報でも、番組１に関して光ディスク６１と第１領域とで同期しており、番組２に関しては同期できないことが記録されている。
【００６５】
録画装置１は、同期処理を終了した後、光ディスクに記録されている番組データに基づいて番組を再生することができる。図１７は、録画装置１が行う番組再生の処理の手順を示すフローチャートである。ユーザがリモコン５に対して所定の操作を行うことにより、リモコン受信部３３は番組再生処理の開始指示を受け付け、録画／再生制御部２４は、光ディスクに記録されている番組データが表す番組の中から再生すべき番組を選択するための番組選択画面を映像表示装置４に表示させる（Ｓ６１）。ステップＳ６１では、録画／再生制御部２４は、保存用メモリ２７で記憶しているタイトル情報から、光ディスクドライブ１１に装着された光ディスクに記録されている番組データが表す番組のタイトルを抽出し、抽出したタイトル含む番組選択画面を表示するために必要な映像信号を信号出力部３４から映像表示装置４へ出力させる。映像表示装置４は、録画装置１からの映像信号に基づいて番組選択画面を表示する。番組選択画面では、光ディスクに記録されている番組データが表す番組、即ち再生可能な番組の一覧が表示される。なお、録画／再生制御部２４は、図１４のフローチャートで示した同期処理が終了した後、直ぐにステップＳ６１の処理を実行してもよい。
【００６６】
番組選択画面を確認したユーザがリモコン５を操作し、リモコン５からの信号をリモコン受信部３３で受信することにより、録画／再生制御部２４は、ユーザから、再生すべき番組の選択を受け付ける。ステップＳ６１の後、録画／再生制御部２４は、再生すべき番組の選択を受け付けることによる、番組再生の指示の受付を待ち受ける（Ｓ６２）。番組再生の指示の受付がない場合は（Ｓ６２：ＮＯ）、録画／再生制御部２４は、番組再生の指示の受付の待ち受けを続行する。番組再生の指示を受け付けた場合は（Ｓ６２：ＹＥＳ）、録画／再生制御部２４は、記憶部１２の光ディスクに対応付けられた記憶領域に、再生すべき番組を表す番組データが記憶されているか否かを判定する（Ｓ６３）。例えば、光ディスク６１に記録された番組データが表す番組１を再生すべき場合に、第１領域に番組１の番組データが記憶されているか否かを判定する。ステップＳ６１では、録画／再生制御部２４は、タイトル情報を参照し、再生すべき番組のタイトル名に関連付けられた同期状態の情報が同期を示している場合に記憶部１２に番組データが記憶されていると判定し、同期を示していない場合に番組データが記憶されていないと判定すればよい。なお、録画／再生制御部２４は、記憶部１２の管理領域に記憶されたマップ情報を参照することによって、記憶部１２に番組データが記憶されているか否かを判定する処理を行ってもよい。
【００６７】
記憶部１２の光ディスクに対応付けられた記憶領域に、再生すべき番組を表す番組データが記憶されている場合は（Ｓ６３：ＹＥＳ）、録画／再生制御部２４は、記憶部１２に記憶されている番組データに基づいて番組を再生する処理を行う（Ｓ６４）。ステップＳ６４では、録画／再生制御部２４は、記憶部１２の管理領域に記憶されたマップ情報を参照することにより、番組データが記憶されているアドレスを特定し、ドライブ制御部１３に、再生すべき番組を表す番組データを記憶部１２から読み出させ、インタフェース部１４を介してバックエンド部３０へ番組データを入力させる。更に録画／再生制御部２４は、デコーダ２８に、入力された番組データを映像信号及び音声信号へデコードさせ、映像処理部２９に画像処理を行わせ、信号出力部３４から映像表示装置４へ映像信号及び音声信号を出力させる。映像表示装置４は、録画装置１からの映像信号及び音声信号に基づいて映像の表示及び音声の出力を行うことにより、番組を再生する。
【００６８】
記憶部１２の光ディスクに対応付けられた記憶領域に、再生すべき番組を表す番組データが記憶されていない場合は（Ｓ６３：ＮＯ）、録画／再生制御部２４は、光ディスクドライブ１１に装着されている光ディスクに記録された番組データに基づいて番組を再生する処理を行う（Ｓ６５）。ステップＳ６５では、録画／再生制御部２４は、ドライブ制御部１３に、再生すべき番組を表す番組データを光ディスクドライブ１１で光ディスクから読み出させ、インタフェース部１４を介してバックエンド部３０へ番組データを入力させる。更に録画／再生制御部２４は、デコーダ２８に番組データをデコードさせ、映像処理部２９に画像処理を行わせ、信号出力部３４から映像信号及び音声信号を出力させる。映像表示装置４は、録画装置１からの映像信号及び音声信号に基づいて番組を再生する。
【００６９】
以上のように、本実施の形態の録画装置１は、データを記録する記憶部１２の管理領域に記憶されたエントリ番号、光ディスク名称、及びユーザ指定画像情報の中から選択された情報等に基づいて印刷データを生成し、シール４０に印刷するように構成されているので、光ディスクを録画装置１に装着していない場合においても、光ディスクの登録情報を視認して光ディスクを識別することができる。従って、光ディスクを効率良く管理することができる。
【００７０】
また、本実施の形態においては、印刷済み情報を記憶部１２に記憶すると共に光ディスクに記録するので、記憶部１２と光ディスクとで印刷済み情報を保有するか否かを照合して、二重に印刷するのを防止することができる。記憶部１２に印刷済み情報が記憶されておらず、光ディスク６１に印刷済み情報が記録されていない場合には、印刷データ生成部１５により印刷データを生成して印刷を行う。記憶部１２にのみ印刷済み情報が記憶されている場合は、他の録画装置等において光ディスクの印刷済み情報が消去されている可能性が高いので、光ディスクに印刷済み情報を記録させる。そして、光ディスクに印刷済み情報が記録されている場合であっても、ユーザの意思により再印刷をすることができるように構成されている。
【００７１】
そして、本実施の形態の録画装置１は、記憶部１２が複数の記憶領域を備えているので、特定の記憶領域に対応付けて特定の光ディスクを登録し、番組の予約を光ディスクに関連付けて行うので、番組の放送時に前記光ディスクが装着されている場合は光ディスクに番組データを記録し、番組の放送時に前記光ディスクが装着されていない場合は、該光ディスクを対応付けられた記憶領域に番組データを記憶させることができる。また、録画装置１は、光ディスクが装着された場合に、該光ディスクに対応する記憶領域に記憶された番組データを光ディスクに記録させることができる。従って、録画装置１では、光ディスクを登録して予約しておくことで、番組の放送開始時に光ディスクが装着されていない場合においても番組データは記憶部１２に記憶され、後日、光ディスクに記録され得る。
よって、本実施の形態においては、大容量のハードディスク及び複数のチューナを必要とせずに、低コストで確実な番組データの記録が可能である。
【００７２】
また、本実施の形態では、録画装置１は、フォーマットされていない光ディスクが装着された場合に、光ディスクをフォーマットした上で、光ディスクを登録する処理を行う。これにより、未フォーマットの光ディスクを録画装置１に装着しただけで、光ディスクが登録され、ユーザは面倒な作業なしに登録済みの光ディスクを作成して使用することができる。また、本実施の形態においては、録画装置１は、特定の光ディスクを記憶部１２の記憶領域に対応付けて登録してある状態を解除することができる。これにより、記憶部１２の記憶領域の内で光ディスクが対応付けられていない記憶領域が不足した場合に、何れかの記憶領域に光ディスクが対応付けられた状態を解消し、この記憶領域に新たな光ディスクを対応付けることができる。例えば、番組データを記録した光ディスクを再生専用として利用する場合、再生専用の光ディスクの登録を解除して、他の光ディスクを記録用に登録することが可能となる。
【００７３】
また、本実施の形態では、録画装置１は、光ディスクに予約情報を記録し、光ディスクが装着されたときには、内部で記憶している予約情報と光ディスクに記録されている予約情報とを同期させる。これにより、他の録画装置で光ディスクに予約情報が記録された場合であっても、録画装置１で予約情報を管理し、確実に番組データを記録することが可能となる。また、本実施の形態では、録画装置１は、番組の再生時に、再生すべき番組を表す番組データが記憶部１２に記憶されている場合は、記憶部１２に記憶されている番組データに基づいて番組を再生する。不揮発性メモリ又はハードディスクで構成された記憶部１２は、光ディスクよりもデータの読み出しが早いので、光ディスクに記録された番組データに基づいて番組を再生する場合に比べて、スムースな番組の再生が可能であり、ユーザに与えるストレスを抑制することができる。
【００７４】
なお、本実施の形態においては、図６のフローチャートにおいて、記憶部１２に印刷済み情報が記憶されておらず、光ディスク６１に印刷済み情報が記録されていない場合に印刷を予約し（Ｓ２１４）、ユーザより再印刷の指示を受け付けた場合に再印刷を予約する（Ｓ２１７）ように構成される場合につき説明しているがこれに限定されるものではなく、直ちに印刷又は再印刷をするように構成してもよい。但し、印刷又は再印刷の予約を行う場合、光ディスク６１の録画又は再生が終了した直後に、シール４０に印刷データを印刷できるので、シール４０を紛失することなく、確実にケース６０に貼着することができる。
【００７５】
また、ハイブリッドドライブ部１０が印刷データ生成部１５、シール印刷部１６、及びシール排紙部１７を備える場合につき説明しているがこれに限定されるものではない。印刷データ生成部１５、シール印刷部１６、及びシール排紙部１７は、ハイブリッドドライブ部１０とは別の、印刷のためのモジュールとして録画装置１に備えることにしてもよい。
さらに、印刷データ生成部１５を備えることには限定されず、印刷データ生成の処理のためのコンピュータプログラムを保存用メモリ２７に記憶しておき、録画／再生制御部２４が該プログラムを読み出し、実行することで印刷データ生成処理を行うことにしてもよい。
そして、保存用メモリ２７には、上述したタイトル情報の他に、印刷のための情報を記憶することにしてもよい。
【００７６】
実施の形態２．
図１８は、本発明の実施の形態２に係る録画装置４１の内部構成を示すブロック図である。図中、図２と同一部分は同一符号を付して詳細な説明を省略する。
実施の形態２に係る録画装置４１は、実施の形態１に係る録画装置１と同様の構成を有し、ハイブリッドドライブ部１０のシール印刷部１６及びシール排紙部１７に代えて、光ディスクのラベル面に印刷データを印刷するラベル印刷部１９と、光ディスクに番組データを記録した後にラベル印刷部１９に光ディスクを搬送する光ディスク搬送部２０とを備えている。
【００７７】
図１９乃至図２１は、本発明の実施の形態２に係る光ディスクドライブに光ディスクが装着された場合に録画装置４１が行う処理の手順を示すフローチャートである。図１９及び図２０のフローチャートに示す処理は、実施の形態１に係る図５及び図６のフローチャートに示す処理と同一であるので、同一のステップ番号を付して詳細な説明を省略する。
録画／再生制御部２４は、光ディスクが装着された場合に、登録済みか否かを判定し（Ｓ２０１）、登録されていないと判定した場合（Ｓ２０１：ＮＯ）、登録処理を行う（Ｓ２１０）。そして、記憶部１２に印刷済み情報が記憶され、光ディスクの管理ファイルに印刷済み情報が記録されているか否かを判定し（Ｓ２１２、Ｓ２１３）、判定の結果に応じて印刷を予約したり（Ｓ２１４）、再印刷を予約したりする（Ｓ２１７）。
次に、録画／再生制御部２４は、録画又は再生のためのアクセスを開始し（Ｓ２２０）、録画又は再生処理が終了したか否かを判定し（Ｓ２２１）、処理が終了したと判定した場合（Ｓ２２１：ＹＥＳ）、処理をステップＳ２３０へ進める。
【００７８】
録画／再生制御部２４は、ステップＳ２３０において、印刷予約（再印刷予約も含む）がされているか否かを判定する。印刷予約がされていないと判定した場合（Ｓ２３０：ＮＯ）、処理をステップＳ２３５へ進める。
録画／再生制御部２４は、印刷予約がされていると判定した場合（Ｓ２３０：ＹＥＳ）、ラベル印刷処理を行う（Ｓ２３１）。録画／再生制御部２４は、印刷データ生成部１５に、第１領域管理部に記憶されたエントリ番号、光ディスク名称、及びユーザ指示画像情報の中から予め選択された情報、又はこの時点でユーザより選択された情報について、大きさ、位置等を決め、印刷のための所要の処理を行って印刷データを生成する。ここで、録画／再生制御部２４は、タイトル情報を保存用メモリ２７から読み出して、該タイトル情報に基づき印刷データを生成してもよい。録画／再生制御部２４は、記録面への番組データの記録が終了した光ディスクを光ディスク搬送部２０によりラベル印刷部１９へ搬送させ、ラベル印刷部１９により生成した印刷データをラベル面に印刷させる。
なお、ハイブリッドドライブ部１０に光ディスク搬送部２０を備えず、ラベル印刷部１９を光ディスクドライブ１１の上側に備え、光ディスクドライブ１１で光ディスクへ番組データを記録した後、光ディスクの上側からラベル面に印刷データを印刷するように構成してもよい。
【００７９】
そして、録画／再生制御部２４は、ラベル印刷が終了したか否かを判定する（Ｓ２３２）。ラベル印刷が終了していないと判定した場合（Ｓ２３２：ＮＯ）、この判定を繰り返す。
録画／再生制御部２４は、ラベル印刷が終了したと判定した場合（Ｓ２３２：ＹＥＳ）、記憶部１２の該当する領域管理部に印刷済みであるという印刷済み情報を記憶し（Ｓ２３３）、光ディスクの管理ファイルに印刷済み情報を記録する（Ｓ２３４）。
そして、録画／再生制御部２４は、ユーザより光ディスクの排出を指示されたか否かを判定する（Ｓ２３５）。排出を指示されていないと判定した場合（Ｓ２３５：ＮＯ）、この判定を繰り返す。
録画／再生制御部２４は排出を指示されたと判定した場合（Ｓ２３５：ＹＥＳ）、トレイ（図示せず）をスライドさせて光ディスクを録画装置１から排出し（Ｓ２３６）、処理を終了する。
【００８０】
本実施の形態においては、録画又は再生処理の終了時に、記憶部１２の登録情報に基づいて、自動的に光ディスクのラベル面に印刷データが印刷されるので、容易に確実に光ディスクを識別可能な状態にすることができ、光ディスクを効率良く管理することができる。
【００８１】
実施の形態３．
図２２は本発明の実施の形態３に係る録画装置５１の外観を示す概念図、図２３は本発明の実施の形態３に係る録画装置５１の内部構成を示すブロック図である。図中、図１及び図２と同一部分は同一符号を付して詳細な説明を省略する。
実施の形態３に係る録画装置５１は、実施の形態１に係る録画装置１と同様の構成を有し、ハイブリッドドライブ部１０は印刷データ生成部１５、シール印刷部１６、及びシール排紙部１７を備えず、バックエンド部３０に外部インタフェース部１８を備えている。
録画装置５１はシールプリンタ７とＵＳＢ接続されており、前記外部インタフェース部１８からシールプリンタ７へ印刷データが出力されるように構成されている。シールプリンタ７は、取得した印刷データに所要の処理を施してシール４０に印刷する。
【００８２】
図２４乃至図２６は、本発明の実施の形態３に係る光ディスクドライブに光ディスクが装着された場合に録画装置が行う処理の手順を示すフローチャートである。図２４及び図２５の処理は、実施の形態１に係る図５及び図６のフローチャートに示す処理と同一であるので、同一のステップ番号を付して詳細な説明を省略する。
録画／再生制御部２４は、光ディスクが装着された場合に、登録済みか否かを判定し（Ｓ２０１）、登録されていないと判定した場合（Ｓ２０１：ＮＯ）、登録処理を行う（Ｓ２１０）。そして、記憶部１２に印刷済み情報が記憶され、光ディスクの管理ファイルに印刷済み情報が記録されているか否かを判定し（Ｓ２１２、Ｓ２１３）、判定の結果に応じて印刷を予約したり（Ｓ２１４）、再印刷を予約したりする（Ｓ２１７）。
次に、録画／再生制御部２４は、録画又は再生のためのアクセスを開始し（Ｓ２２０）、録画又は再生処理が終了したか否かを判定し（Ｓ２２１）、処理が終了したと判定した場合（Ｓ２２１：ＹＥＳ）、処理をステップＳ２４０へ進める。
【００８３】
録画／再生制御部２４は、ステップＳ２４０において、印刷予約（再印刷予約も含む）がされているか否かを判定する。印刷予約がされていないと判定した場合（Ｓ２４０：ＮＯ）、処理をステップＳ２４５へ進める。
録画／再生制御部２４は、印刷予約がされていると判定した場合（Ｓ２４０：ＹＥＳ）、印刷データを出力する（Ｓ２４１）。録画／再生制御部２４は、対応する領域管理部に記憶されたエントリ番号、光ディスク名称、及びユーザ指示画像情報の中から予め選択された情報、又はこの時点でユーザより選択された情報について、印刷データを生成する。ここで、録画／再生制御部２４は、タイトル情報を保存用メモリ２７から読み出して、該タイトル情報に基づき印刷データを生成してもよい。録画／再生制御部２４は、生成した印刷データを、外部インタフェース部１８を介しシールプリンタ７へ出力する。そして、シールプリンタ７において、大きさ、位置等が決められ、印刷のための所要の処理が施されてシール４０に印刷データが印刷される。
なお、録画／再生制御部２４が前記印刷データについて、大きさ、位置等を決め、印刷のための所要の処理を施した上で、シールプリンタ７へ印刷データを出力することにしてもよい。シールプリンタ７で印刷のための処理を行うことにした場合、録画装置５１の構成が簡単になる。
【００８４】
そして、録画／再生制御部２４は、印刷データの出力が終了したか否かを判定する（Ｓ２４２）。出力が終了していないと判定した場合（Ｓ２４２：ＮＯ）、この判定を繰り返す。
録画／再生制御部２４は、出力が終了したと判定した場合（Ｓ２４２：ＹＥＳ）、記憶部１２の該当する領域管理部に印刷済みであるという印刷済み情報を記憶し（Ｓ２４３）、光ディスクの管理ファイルに印刷済み情報を記録する（Ｓ２４４）。
そして、録画／再生制御部２４は、ユーザより光ディスクの排出を指示されたか否かを判定する（Ｓ２４５）。排出を指示されていないと判定した場合（Ｓ２４５：ＮＯ）、この判定を繰り返す。
録画／再生制御部２４は排出を指示されたと判定した場合（Ｓ２４５：ＹＥＳ）、トレイ（図示せず）をスライドさせて光ディスクを録画装置１から排出し（Ｓ２４６）、処理を終了する。
【００８５】
本実施の形態においては、記憶部１２に記憶された登録情報に基づく印刷データをシールプリンタ７へ出力して、該印刷データをシール４０に印刷するので、シール４０を光ディスクのケースに貼着することで、光ディスクを識別可能にし、容易に管理することができる。また、シールプリンタ７側で、印刷データをさらに加工したり、印刷内容を付加したりすることも可能である。
なお、本実施の形態においては録画装置５１と接続されるプリンタがシールプリンタ７である場合につき説明しているがこれに限定されるものではなく、光ディスクを内部に装着して、該光ディスクのラベル面に印刷するプリンタであってもよい。
また、録画装置５１にプリンタを接続する場合に限定されるものではなく、ＳＤカードを録画装置５１に挿着し、印刷データをＳＤカードに記録した後、ＳＤカードをプリンタに挿着して、シール又は光ディスクのラベル面に印刷するように構成してもよい。
【００８６】
なお、前記実施の形態１乃至３においては、番組データの録画を予約した場合に、録画装置１，４１，５１に光ディスクが装着されているときには該光ディスクに番組データを記録し、光ディスクが装着されていないときには記憶部１２の記憶領域に番組データを記録する場合につき説明しているがこれに限定されるものではない。番組データは、音声放送又はデータ放送等、テレビジョン放送以外の放送で放送される番組の番組データであってもよい。さらに、番組データ以外のデータの録画を予約した場合にも本発明のデータ記録方法を適用することができる。本発明においては、例えば録画装置１，４１，５１でダビング予約された場合に、ダビング先の光ディスクが装着されていないときに、ダビング元の光ディスクのデータを前記記憶領域に記録することが可能である。
【００８７】
そして、前記実施の形態１乃至３においては、光ディスクに固有の情報として光ディスクに予め記録されているメディアＩＤを使用する形態を示したが、これに限るものではなく、本発明では、光ディスク毎に異なる情報を光ディスクに書き込み、書き込んだ情報をメディアＩＤとして利用してもよい。また、前記実施の形態１乃至３においては、デジタルチューナ２１で放送信号を受信する形態を示したが、本発明はアナログ放送の放送信号を受信するアナログチューナを備えた形態であってもよい。アナログチューナを備えた形態では、アナログチューナはエンコーダ２２に接続される。
【００８８】
また、前記実施の形態１乃至３においては、本発明における着脱可能な記録媒体として光ディスクを用いる形態を示したが、これに限るものではなく、本発明は、着脱可能な記録媒体として、可搬型のハードディスク又はメモリカード等、その他の記録媒体を用いる形態であってもよい。記録媒体の大きさに応じて、印刷画像の大きさを決定する。
また、前記実施の形態１乃至３においては、本発明のデータ記録装置が録画装置１，４１，５１である場合につき説明しているがこれに限定されるものではなく、本発明のデータ記録装置は、映像表示装置４と録画装置１，４１，５１とが一体となった形態であってもよい。
【符号の説明】
【００８９】
１、４１、５１  録画装置（データ記録装置）
１０  ハイブリッドドライブ部
１１  光ディスクドライブ
１２  記憶部
１３  ドライブ制御部
１５  印刷データ生成部
１６  シール印刷部
１７  シール排紙部
１８  外部インタフェース部
１９  ラベル印刷部
２０  光ディスク搬送部
２１  デジタルチューナ
２３  ストリーム処理部
２４  録画／再生処理部
２７  保存用メモリ
２８  デコーダ
２９  画像処理部
３０  バックエンド部
３３  リモコン受信部
３４  信号出力部
４  映像表示装置
５  リモコン（リモートコントローラ）
７  シールプリンタ
４０  シール
６０  ケース
６１  光ディスク（記録媒体）
【図１】
2010244664.tif 000003
【図２】
2010244664.tif 000004
【図３】
2010244664.tif 000005
【図４】
2010244664.tif 000006
【図５】
2010244664.tif 000007
【図６】
2010244664.tif 000008
【図７】
2010244664.tif 000009
【図８】
2010244664.tif 000010
【図９】
2010244664.tif 000011
【図１０】
2010244664.tif 000012
【図１１】
2010244664.tif 000013
【図１２】
2010244664.tif 000014
【図１３】
2010244664.tif 000015
【図１４】
2010244664.tif 000016
【図１５】
2010244664.tif 000017
【図１６】
2010244664.tif 000018
【図１７】
2010244664.tif 000019
【図１８】
2010244664.tif 000020
【図１９】
2010244664.tif 000021
【図２０】
2010244664.tif 000022
【図２１】
2010244664.tif 000023
【図２２】
2010244664.tif 000024
【図２３】
2010244664.tif 000025
【図２４】
2010244664.tif 000026
【図２５】
2010244664.tif 000027
【図２６】
2010244664.tif 000028